(57)【要約】      （修正有）【課題】コンパクトで持ち運び可能なゴルフボールを用いた足裏マッサージ具を提供する。【解決手段】足裏マッサージ具１は、少なくともゴルフボールの半径の高さを有する断面台形の枠体２であって、ゴルフボールの直径とほぼ同じ大きさの径を有する円形のゴルフボール収納穴４を備え、このゴルフボール収納穴の側壁４ａには、ゴルフボールの滑り止め材５が取り付けられてなる。滑り止め材５としては、例えば、面ファスナーの雄材又は雌材や起毛した不織布等を用いる。【選択図】図１
0003172738.tif 000002
【実用新案登録請求の範囲】
【請求項１】
少なくともゴルフボールの半径の高さを有する断面台形の枠体であって、ゴルフボールの直径とほぼ同じ大きさの径を有する円形のゴルフボール収納穴を備え、
このゴルフボール収納穴の側壁には、ゴルフボールの滑り止め材が取り付けられてなるゴルフボールを用いた足裏マッサージ具。
【請求項２】
上記ゴルフボール収納穴を複数備えてなる請求項１記載のゴルフボールを用いた足裏マッサージ具。
【考案の詳細な説明】
【技術分野】
【０００１】
本考案は、コンパクトで持ち運び可能なゴルフボールを用いた足裏マッサージ具に関する。
【背景技術】
【０００２】
従来から、航空機や長距離列車等で、長時間狭い座席に座わり、一定の姿勢を続けているといわゆるエコノミークラス症候群（急性肺動脈血栓症）を発症するおそれがあることが指摘されている。このようなエコノミークラス症候群の発症を予防する方法としては、一定時間毎に足裏等をマッサージすることが有効である。
【０００３】
足裏をマッサージする方法としては、青竹踏み器を用いたり、ローラー等を利用した電動式のマッサージ器具や指圧器具も知られているが、これら器具は比較的に大きく、狭い航空機等の座席において使い難いという難点があった。また、器具によっては電源を必要とし、さらに持ち運びにも不便である。
【０００４】
ところで、手軽なマッサージ指圧器具として、下記特許文献１に示すようなゴルフボールを利用したマッサージ器具が知られている。
【先行技術文献】
【特許文献】
【０００５】
【特許文献１】特開２００６−１０２４３９号公報
【考案の開示】
【考案が解決しようとする課題】
【０００６】
この特許文献１に示すマッサージ器具は、ゴルフボールと同じ大きさの穴をあけた円形状の外枠を制作し、その中心にゴルフボールを置いてなるものであるが、ゴルフボールが外枠内で安易に回転し、充分な押圧効果を得られるものではなかった。また、外枠が充分にゴルフボールを固定できずに容易にゴルフボールが飛び出してしまうという問題もあった。そのため、航空機や列車等の狭く揺れる座席の下では安心して使えない難点がある。
【０００７】
そこで本考案は、上記特許文献１の有する問題点を解決し、構成が簡単で小型コンパクトで持ち運びに便利であり、確実にゴルフボールを保持し、押圧効果が期待できるゴルフボールを用いた足裏マッサージ具を提供することを目的とする。
【課題を解決するための手段】
【０００８】
本考案は、上記課題を解決するため、少なくともゴルフボールの半径の高さを有する断面台形の枠体であって、ゴルフボールの直径とほぼ同じ大きさの径を有する円形のゴルフボール収納穴を備え、このゴルフボール収納穴の側壁には、ゴルフボールの滑り止め材が取り付けられてなるゴルフボールを用いた足裏マッサージ具である。
【０００９】
なお、本考案にかかるゴルフボールを用いた足裏マッサージ具は、上記ゴルフボール収納穴を複数、例えば２個以上備えるようにしても良い。
【考案の効果】
【００１０】
このような本考案に係るゴルフボールを用いたマッサージ具によれば、収納されるゴルフボールが安易に回転したり飛び出すことを抑止することができ、確実に足裏を押圧マッサージすることができる。
【図面の簡単な説明】
【００１１】
【図１】本考案に係るマッサージ具の上面側斜視図である。
【図２】本考案に係るマッサージ具の側断面図である。
【図３】本考案に係るマッサージ具にゴルフボールを配置した状態を示す上面側斜視図である。
【図４】本考案に係るマッサージ具の使用状態を示す側断面図である。
【図５】本考案の変形例であるゴルフボール２個配置型のマッサージ具を示す平面図である。
【図６】上記変形例のマッサージ具の使用状態を示す側面図である。
【考案を実施するための最良の形態】
【００１２】
以下、本考案の実施の形態について図面を参照しながら詳細に説明する。
【００１３】
ここで実施の形態として示す足裏マッサージ具１は、図１及び図２に示すように、ゴルフボール３の半径の高さを有する断面台形の枠体２として構成される。
【００１４】
断面形状を台形としたのは、底面積を広くすることにより、この枠体２の固定に安定性を持たせるためである。
【００１５】
この枠体２の材質としては、ポリカーボネートやＡＢＳ等の合成樹脂材、木、鉄又はステンレス等の金属を用いることができる。そして、その成形は削り出し成形や型枠成形又は鋳造等、材質に応じて行われる。
【００１６】
この枠体２の中心には、ゴルフボール３の直径とほぼ同じ大きさの径を有する円形のゴルフボール収納穴４を備えている。
【００１７】
また、このゴルフボール収納穴４の側壁４ａには、ゴルフボール３の滑り止め材５が取り付けられてなる。
【００１８】
この滑り止め材５としては、例えば、面ファスナー（いわゆるマジックテープ）の雄材又は雌材や起毛した不織布等を用いることができる。
【００１９】
滑り止め材５の側壁４ａへの取り付けは、例えば接着剤により又は粘着材が塗布された両面テープを用いることにより貼り付ければ良い。
【００２０】
この滑り止め材５は、ゴルフボール３の安易な回転を阻止するととものに、この収納穴４内にゴルフボール３を保持することができるものであれば良く、ゴルフボール収納穴４の側壁４ａの全周に亘る場合にのみならず、図１に示すように側壁４ａの一部に設けるものでも良い。この図１に示す例では、側壁４ａの４箇所に分割して滑り止め材を配置している。
【００２１】
図３は、上述の如き構成を有するマッサージ具１において、枠体２のゴルフボール収納穴４にゴルフボール３を配置収納した状態を示すものである。
【００２２】
収納するゴルフボール３は新品でも良いが中古品を用いれば充分であり、ゴルフボールの再利用を図ることができる。
【００２３】
なお、足裏を押圧するものとしては、上記ゴルフボール収納穴４に収納でき、一定の硬さを有すれば、ゴルフボール３以外の材質からなる球体を用いても良いが、ゴルフボール３は硬さも適度であり、その表面にディンプルを有するので足裏のツボ押しには最適である。
【００２４】
そして、足裏マッサージ具１を構成する枠体２は、上述する通り、少なくともゴルフボール３の半径の高さを有するので、ゴルフボール３を確実に収納固定することができる。また、ゴルフボール収納穴４の側壁４ａに設けられた滑り止め材５により、安易な回転が抑止され、より一層ゴルフボール３の枠体２からの飛び出しが抑制される。
【００２５】
図４は、本考案に係るゴルフボールを用いた足裏マッサージ具１により、足裏をマッサージしている状態を示す図である。
【００２６】
図４に示すように、床上にゴルフボール３を収納したこの足裏マッサージ具１を置き、足裏のツボを一定時間押圧するようにゴルフボール３を足で踏み込めば、足裏をマッサージすることができる。
【００２７】
なお、この足裏マッサージ具１を足元の床上へ置いたり持ち上げたりするに際しては、枠体２のみを持って行えばよい。枠体２のみを持った場合においても、ゴルフボール３は上記滑り止め材５によりゴルフボール収納穴４内に確実に保持されているので、ゴルフボール３がゴルフボール収納穴４から滑り落ちることはなく、その取り扱いが容易となっている。
【００２８】
本考案に係る足裏マッサージ具１は、概ねゴルフボール３のひとまわり程の大きさであり、その厚みもゴルフボール３の半分であるので、小型コンパクトで軽量に作ることができ、その取り扱いが容易で持ち運びが楽であり、航空機の座席等の狭い場所でも、簡単に用いることができる。
【００２９】
また、本考案に係る足裏マッサージ具１は、断面形状台形となし、上面に比し底面を広く取っているので安定性を有し、揺れる座席の下でも安心して用いることができる。
【００３０】
次に、本考案に係る足裏マッサージ具の変形例である第２の実施の形態を図５を用いて説明する。
【００３１】
この第２の実施の形態に係る足裏マッサージ具１０は、ゴルフボールを２個用いるタイプのものである。すなわち、枠体２０内に平行に２つのゴルフボール収納穴４１、４２を設けてなるものである。そして、このゴルフボール収納穴４１、４２の側壁に滑り止め材５０を取り付けてなるものである。
【００３２】
その他、上記枠体２０が、断面台形で少なくともゴルフボール３の半径の高さを有する点等は、上述したゴルフボール１個タイプのものと同様であるので、詳細な説明は省略する。
【００３３】
このように、足裏マッサージ具１０のゴルフボール２個タイプのものによれば、図６に示すように、足裏のツボ２箇所を同時に押圧することができる。
【００３４】
また、この第２の実施の形態に示すゴルフボール２個タイプのものにあっては、足裏に対し、ボールの並びを平行にしたり、斜めや垂直にすることにより、足裏にある色々なツボを２箇所同時に的確に押圧することができる。
【００３５】
この第２の実施の形態に示すゴルフボール２個タイプのものは、上記ゴルフボール１個タイプのものよりは当然やや大きなものとなるが、総じて小型であることには変わりなく持ち運びに苦になるものではない。
【００３６】
このように本考案に係る足裏マッサージ具１又は１０は、持ち運びに便利なものであるとともに、その使用中にゴルフボールが安易に飛び出すこともないものであるから、これを航空機や列車等の座席の足元で利用すれば、足裏の血行が確実に刺激され、エコノミークラス症候群の予防に最適である。
【００３７】
また、本考案は中古ゴルフボールの再利用にも役立つものである。
【符号の説明】
【００３８】
１，１０  足裏マッサージ具、２，２０  枠体、３  ゴルフボール、４，４１，４２  ゴルフボール収納穴、５，５０  滑り止め材
【図１】
0003172738.tif 000003
【図２】
0003172738.tif 000004
【図３】
0003172738.tif 000005
【図４】
0003172738.tif 000006
【図５】
0003172738.tif 000007
【図６】
0003172738.tif 000008